(57)【特許請求の範囲】
【請求項１】
複数のタイムスロットからなるフレームを基本通信単位として基地局と複数の加入者局との間で同一の周波数を用いてデータ送受信を行う通信システムにおいて、
基地局において各加入者局毎への下り送信データを蓄積する複数の下り送信バッファと、
基地局において上記フレームの送信周期毎に動作し、複数の下り送信バッファにおいて下り送信データが蓄積されたら順番に上記タイムスロットを割り当てる下り回線スロット割当手段と、
基地局において上記フレーム毎のタイムスロット割当に基づいて上記複数の下り送信バッファに蓄積された下り送信データを上記回線に出力する基地局入出力装置と、
各加入者局において基地局への上り送信データを蓄積する上り送信バッファと、
各加入者局においてそれぞれの上り送信バッファに上り送信データが蓄積されたら割当要求信号を出力する加入者局スロット割当装置と、
基地局において複数のフレームの送信周期毎に動作し、１乃至複数の割当要求信号に基づいて上記複数のフレームの各フレームにおいてそれぞれに対してタイムスロットが割り当てられるように上記タイムスロットを割り当てる上り回線スロット割当手段と、
各加入者局において上記複数のフレーム毎のタイムスロット割当に基づいて複数のフレームにおいて連続してそれぞれの上り送信バッファに蓄積された上り送信データを上記回線に出力する加入者局入出力装置とを備える通信システム。
【請求項２】
上り回線スロット割当手段は、それぞれの上り送信バッファに蓄えられている上り送信データ量の比に基づいて各フレームにおいてタイムスロットを割り当てることを特徴とする請求項１記載の通信システム。
【請求項３】
上り回線スロット割当手段は、それぞれの上り送信バッファにおいてそれぞれの上限値を超える上り送信データ量がある場合にはその上限値をリミットとしてタイムスロットを割り当てることを特徴とする請求項２記載の通信システム。
【請求項４】
上り回線スロット割当手段は、最低でも２つ以上のタイムスロットが割り当たるように上り送信データ量の比に基づいて各加入者局毎に順番にタイムスロットを割り当てるとともに、前回の割当処理において割り当てることができなかった加入者局から順番にタイムスロットを割り当てることを特徴とする請求項２または請求項３記載の通信システム。
【請求項５】
下り回線スロット割当手段は、それぞれの上り送信バッファに対して、それぞれの上限値の範囲内のタイムスロット数毎に順番にタイムスロットを割り当てることを特徴とする請求項１記載の通信システム。
【請求項６】
下り回線スロット割当手段は、前回の割当処理において上限値の範囲内での所望のタイムスロット数を割り当てることができなかった加入者局から順番にタイムスロットを割り当てることを特徴とする請求項５記載の通信システム。
【請求項７】
複数のタイムスロットからなるフレームを基本単位として基地局から複数の加入者局への下り送信データのタイムスロットおよび複数の加入者局から基地局への上り送信データのタイムスロットを割り当てるタイムスロット割当方法において、
複数の下り送信データに対しては、各フレーム毎に順番にタイムスロットを割り当てるととともに、
複数の上り送信データに対しては、複数のフレーム毎にそれぞれのフレームにおいてそれぞれに対してタイムスロットが割り当てられるように上記タイムスロットを割り当てるタイムスロット割当方法。
【発明の詳細な説明】
【０００１】
【発明の属する技術分野】
この発明は携帯電話通信システムなどのように、複数のタイムスロットからなるフレームを基本通信単位として基地局（ＢＳＥ：Ｂａｓｅ  Ｓｔａｔｉｏｎ  Ｅｑｕｉｐｍｅｎｔ）と複数の加入者局（ＣＰＥ：Ｃｕｓｔｏｍｅｒ  Ｐｒｅｍｉｓｅｓ  Ｅｑｕｉｐｍｅｎｔ）との間で同一の回線を用いてデータ送受信を行う通信システムおよびタイムスロット割当方法に関するものである。
【０００２】
【従来の技術】
図１０は上り回線と下り回線が時分割デュプレクス（ＴＤＤ：Ｔｉｍｅ  Ｄｉｖｉｓｉｏｎ  Ｄｕｐｌｅｘ）された同一の無線回線を用いて基地局と複数の加入者局との間でデータ送受信を行う従来の通信システムの構成を示すブロック図である。図において、４２は基地局、４３はこの基地局４２と無線回線でデータを送受信する３台分の加入者局、４４ａ，４４ｂ，４４ｃはそれぞれ下り送信バッファ、４５は基地局スロット割当装置、４６は時分割多重方式（ＴＤＭ：Ｔｉｍｅ  Ｄｉｖｉｓｉｏｎ  Ｍｕｌｔｉｐｌｅｘ）にて複数の下り送信バッファ４４ａ，４４ｂ，４４ｃのデータを送信するとともに加入者局からのデータを受信する基地局入出力装置、４７ａ，４７ｂ，４７ｃはそれぞれ上り送信バッファ、４８ａ，４８ｂ，４８ｃはそれぞれ加入者局スロット割当装置、４９はランダムアクセス方式（Ｓ−ＡＬＯＨＡ：Ｓｌｏｔｔｅｄ  ＡＬＯＨＡ）を用いた要求時割当−時分割多元接続方式（ＤＡ−ＴＤＭＡ）を用いてそれぞれの上り送信バッファ４７ａ，４７ｂ，４７ｃのデータを送信するとともに基地局からのデータを受信する加入者局入出力装置である。
【０００３】
次に動作について説明する。
下り送信バッファ４４ａ，４４ｂ，４４ｃにデータが蓄積されると、基地局スロット割当装置４５はフレーム周期毎に次のフレームにおける下り回線のタイムスロット割当を行う。そして、次のフレームにおいて、基地局入出力装置４６はこの割当に基づいて各下り送信バッファ４４ａ，４４ｂ，４４ｃのデータを無線送信し、各加入者局入出力装置４９はこれを受信する。
【０００４】
図１１は通信システムにおける上りデータ通信処理を示す上りスロット割当シーケンスである。同図において、（ａ）は左から右へ時間が進むように記載されたフレーム周期、（ｂ）は基地局４２の動作、（ｃ）は加入者局の動作である。そして、上り送信バッファ４７ａ，４７ｂ，４７ｃにデータが蓄積されると（Ｔ４３）、これに対応する加入者局スロット割当装置４８ａ，４８ｂ，４８ｃから基地局スロット割当装置４５へ上り回線の所定のタイムスロットを用いて割当要求信号が送信される（Ｔ４４）。この割当要求信号に基づいて基地局スロット割当装置４５はフレーム周期毎に次のフレームにおける上り回線のタイムスロット割当を行い、その結果を割当通知信号として下り回線を用いて各加入者局スロット割当装置４８ａ，４８ｂ，４８ｃへ送信する（Ｔ４５）。そして、次のフレームにおいて、加入者局入出力装置４９はそれぞれの加入者局スロット割当装置４８ａ，４８ｂ，４８ｃの制御に基づいてそれぞれの上り送信バッファ４７ａ，４７ｂ，４７ｃにデータを所定のタイムスロットを用いて無線送信し、基地局入出力装置４６はこれを受信する（Ｔ４６）。なお、このように制御信号とデータとは同一の回線で送受信されている。
【０００５】
図１２は従来の上り回線におけるタイムスロット割当処理を示すフローチャートである。当該割当処理は基地局スロット割当装置４５において各フレーム毎に各加入者局毎に繰り返して実施される。図において、ＳＴ３２はＵＢＲ（Ｕｎｓｐｅｃｉｆｉｅｄ  Ｂｉｔ  Ｒａｔｅ）のように伝送帯域非保証型のデータフローであるか否かを判断するデータ種別判断ステップ、ＳＴ３３は現在割当を行っているフレームの残りタイムスロット数で当該伝送帯域非保証型のデータを送信できるか否かを判断する割当可能性判断ステップ、ＳＴ３４は当該加入者局に対するタイムスロットの割当を行う割当ステップ、ＳＴ３５は当該割当スロットを当該加入者局に通知する通知ステップである。
【０００６】
また、ＳＴ３６は伝送帯域保証型のデータフローである場合に、最大伝送速度に相当するスロット数が複数のフレーム内で割当可能か否かを判断するデータ帯域判断ステップ、ＳＴ３７はこのデータフローの種類がＣＢＲ（Ｃｏｎｓｔａｎｔ  Ｂｉｔ  Ｒａｔｅ）あるいはＶＢＲ（Ｖａｒｉａｂｌｅ  Ｂｉｔ  Ｒａｔｅ）のいずれであるのかを判断するデータ種別判断ステップ、ＳＴ３８はＣＢＲのデータフローに対して固定レートでタイムスロットの割当を行う割当ステップ、ＳＴ３９はＶＢＲのデータフローに対してマルチフレーム単位で一定レートでタイムスロットの割当を行う割当ステップ、ＳＴ４０は割当拒否処理を行う割当拒否ステップである。なお、割当ステップＳＴ３８、割当ステップＳＴ３９や割当拒否ステップＳＴ４０の結果についても通知ステップＳＴ３５にて加入者局に対して通知がなされる。
【０００７】
なお、このようにフレームごとなどの短い周期でタイムスロットなどの無線リソースの割当を変更する技術は、ダイナミックスロットアサイン（ＤＳＡ：Ｄｙｎａｍｉｃ  Ｓｌｏｔ  Ａｓｓｉｇｎ）やダイナミックリソース割当などと呼ばれており、例えば特開平９−１８４３５号公報、特開平１１−６９４３１号公報、特開平１１−１７８０４９号公報などにおいて開示されている。
【０００８】
【発明が解決しようとする課題】
従来の通信システムおよびタイムスロット割当方法は以上のように構成されているので、以下のような課題があった。
【０００９】
第一に、ＡＢＲやＵＢＲ（Ｕｎｓｐｅｃｉｆｉｅｄ  Ｂｉｔ  Ｒａｔｅ）などの伝送帯域非保証型の割当要求があるとそれが優先的にフレームのスロットに割り当てられてしまうので、２つ目以降の伝送帯域非保証型のデータフローに対してタイムスロットを割り当てることが難しい。
【００１０】
第二に、タイムスロットが割り当てられない場合には、ＴＣＰ／ＩＰの応答パケットなどが発生した場合にはそれをただちに送信することができない場合があり、そのような場合には当該応答パケットの遅延などに起因する伝送レートの低下が生じてしまったり、ラウンドトリップ時間が安定しないので適切なタイムアウト時間を計測することができなくなってしまう。
【００１１】
第三に、割当要求が拒否されると割当要求などの管理情報の通信においてランダムアクセスチャネルなどを利用して上り送信データを再送しなければならない。その結果、確実に通信することができない。
【００１２】
第四に、フレーム毎に割当処理を実施しているので、十分な割当処理時間を確保することができず、例えタイムスロットに空きが残っていたとしてもそれにデータを割り当てることができない。
【００１３】
この発明は上記のような課題を解決するためになされたものであり、伝送帯域非保証型の割当要求が複数あったとしてもそれぞれに対してタイムスロットを割り当てることができ、ＴＣＰ／ＩＰの応答パケットなどが発生した場合にはそれをただちに送信することができ、ランダムアクセスチャネルなどを利用しなくとも確実に通信することができ、しかも、十分な割当処理時間を確保することができる通信システムおよびタイムスロット割当方法を得ることを目的とする。
【００１４】
【課題を解決するための手段】
この発明に係る通信システムは、複数のタイムスロットからなるフレームを基本通信単位として基地局と複数の加入者局との間で同一の周波数を用いてデータ送受信を行う通信システムにおいて、基地局において各加入者局毎への下り送信データを蓄積する複数の下り送信バッファと、基地局において上記フレームの送信周期毎に動作し、複数の下り送信バッファにおいて下り送信データが蓄積されたら順番に上記タイムスロットを割り当てる下り回線スロット割当手段と、基地局において上記フレーム毎のタイムスロット割当に基づいて上記複数の下り送信バッファに蓄積された下り送信データを上記回線に出力する基地局入出力装置と、各加入者局において基地局への上り送信データを蓄積する上り送信バッファと、各加入者局においてそれぞれの上り送信バッファに上り送信データが蓄積されたら割当要求信号を出力する加入者局スロット割当装置と、基地局において複数のフレームの送信周期毎に動作し、１乃至複数の割当要求信号に基づいて上記複数のフレームの各フレームにおいてそれぞれに対してタイムスロットが割り当てられるように上記タイムスロットを割り当てる上り回線スロット割当手段と、各加入者局において上記複数のフレーム毎のタイムスロット割当に基づいて複数のフレームにおいて連続してそれぞれの上り送信バッファに蓄積された上り送信データを上記回線に出力する加入者局入出力装置とを備えるものである。
【００１５】
この発明に係る通信システムは、上り回線スロット割当手段が、それぞれの上り送信バッファに蓄えられている上り送信データ量の比に基づいて各フレームにおいてタイムスロットを割り当てるものである。
【００１６】
この発明に係る通信システムは、上り回線スロット割当手段が、それぞれの上り送信バッファにおいてそれぞれの上限値を超える上り送信データ量がある場合にはその上限値をリミットとしてタイムスロットを割り当てるものである。
【００１７】
この発明に係る通信システムは、上り回線スロット割当手段が、最低でも２つ以上のタイムスロットが割り当たるように上り送信データ量の比に基づいて各加入者局毎に順番にタイムスロットを割り当てるとともに、前回の割当処理において割り当てることができなかった加入者局から順番にタイムスロットを割り当てるものである。
【００１８】
この発明に係る通信システムは、下り回線スロット割当手段が、それぞれの上り送信バッファに対して、それぞれの上限値の範囲内のタイムスロット数毎に順番にタイムスロットを割り当てるものである。
【００１９】
この発明に係る通信システムは、下り回線スロット割当手段が、前回の割当処理において上限値の範囲内での所望のタイムスロット数を割り当てることができなかった加入者局から順番にタイムスロットを割り当てるものである。
【００２０】
この発明に係るタイムスロット割当方法は、複数のタイムスロットからなるフレームを基本単位として基地局から複数の加入者局への下り送信データのタイムスロットおよび複数の加入者局から基地局への上り送信データのタイムスロットを割り当てるタイムスロット割当方法において、複数の下り送信データに対しては、各フレーム毎に順番にタイムスロットを割り当てるととともに、複数の上り送信データに対しては、複数のフレーム毎にそれぞれのフレームにおいてそれぞれに対してタイムスロットが割り当てられるように上記タイムスロットを割り当てるものである。
【００２１】
【発明の実施の形態】
以下、この発明の実施の一形態を説明する。
実施の形態１．
図１はこの発明の実施の形態１による無線通信システムの構成を示すシステム構成図である。当該無線通信システムは、複数のタイムスロットからなるフレーム周期を基本単位として通信制御を行うものである。図において、１ａ，・・・，１ｃはそれぞれ端末装置、２はこの複数の端末装置１ａ，・・・，１ｃとの間でデータを送受信するネットワーク、３はこのネットワーク２に接続され、上記送受信データを無線回線で送受信するとともに当該無線回線に対する回線設定（スロット割当など）を行う基地局、４ａ，・・・，４ｃはそれぞれ各端末装置（１ａ，・・・，１ｃ）と１対１対応に設けられ、上記基地局３との間で上記送受信データを無線回線で送受信する加入者局である。なお、以下において、基地局３から無線端末４への送信を下り、その逆を上りと呼ぶ。
【００２２】
図２はこの発明の実施の形態１による無線通信システムにおけるフレーム構成を示す説明図である。図において、５はそれぞれタイムスロット、６はフレーム、７はフレーム６の先頭に割り当てられたＢチャネル、８はＲチャネル、９はＵｕｐチャネル、１０はＵｕｃチャネル、１１はＵｄチャネルである。なお、１２はＲチャネル８とＵｕｐチャネル９とからなるランダムアクセス方式（Ｓ−ＡＬＯＨＡ：Ｓｌｏｔｔｅｄ  ＡＬＯＨＡ）のチャネルであり、Ｕｕｃチャネル１０は要求時割当−時分割多元接続方式（ＤＡ−ＴＤＭＡ：Ｄｅｍａｎｄ  Ａｓｓｉｇｎｍｅｎｔ−Ｔｉｍｅ  Ｄｉｖｉｓｉｏｎ  Ｍｕｌｔｉｐｌｅ  Ａｃｃｅｓｓ）方式に用いられ、Ｕｄチャネル１１は時分割多重（ＴＤＤ：Ｔｉｍｅ  Ｄｉｖｉｓｉｏｎ  Ｄｕｐｌｅｘ）方式に用いられる。また、Ｂチャネル７およびＲチャネル８は下り／上り制御回線として用いられ、Ｕｕｐチャネル９およびＵｕｃチャネル１０は上り制御回線／通信回線として用いられ、Ｕｄチャネル１１は下り制御回線／通信回線として用いられる。このように上り回線と下り回線とが同一の通信回線を時分割で利用する方式は時分割デュプレクス（ＴＤＤ：Ｔｉｍｅ
Ｄｉｖｉｓｉｏｎ  Ｄｕｐｌｅｘ）と呼ばれている。
【００２３】
なお、同図において、１３はＵｕｃチャネル１０に割り当てられた上りバースト、１４はＵｄチャネル１１に割り当てられた下りバースト、１５はガードタイム、同期シンボル、制御回線などからなる先頭スロット、１６は送受信データが書き込まれた後続スロットである。
【００２４】
図３はこの発明の実施の形態１による無線通信システムにおいて、基地局３の通信範囲内に３台の加入者局４ａ，・・・，４ｃが存在する場合の構成を示すブロック図である。図において、１７は基地局、１８はこの基地局１７と上記無線回線でデータを送受信する３台分の加入者局、１９ａ，１９ｂ，１９ｃはそれぞれネットワーク２から各端末装置１ａ，・・・，１ｃへの下り送信データが一時的に蓄積される下り送信バッファ、２０ａ，２０ｂ，２０ｃはそれぞれ各端末装置１ａ，・・・，１ｃからネットワーク２への上り送信データが一時的に蓄積される上り送信バッファ、２１はＵｄチャネル１１のタイムスロットを用いて下り送信バッファ１９ａ，１９ｂ，１９ｃのデータを無線送信するとともに、Ｕｕｐチャネル９やＵｕｃチャネル１０のタイムスロットに割り当てられた上り送信バッファ２０ａ，２０ｂ，２０ｃのデータを受信する基地局入出力装置、２２は上記下り送信バッファ１９ａ，１９ｂ，１９ｃのデータを受信するとともに、上記上り送信バッファ２０ａ，２０ｂ，２０ｃのデータをＵｕｐチャネル９やＵｕｃチャネル１０のタイムスロットに割り当てて無線送信する加入者局入出力装置である。
【００２５】
また、２３ａ，２３ｂ，２３ｃはそれぞれ、それぞれに対応する上り送信バッファ２０ａ，２０ｂ，２０ｃにデータが蓄えられた際に蓄えられているデータ量情報を含む割当要求信号をＲチャネル８およびＵｕｐチャネル９などを用いて無線送信し、自身に対する割当通知信号を受信したらそこで指定されているタイムスロット（Ｕｕｃチャネル１０内のタイムスロット）を利用して送信するように加入者局入出力装置２２へ制御信号を出力する加入者局スロット割当装置である。
【００２６】
２４はＵｕｃチャネル１０およびＵｄチャネル１１のタイムスロットを管理し、データが蓄えられている各下り送信バッファ１９ａ，１９ｂ，１９ｃのデータの送信タイミングをＵｄチャネル１１に割り当ててその情報を基地局入出力装置２１に出力し、上記割当要求信号を受信した加入者局４ａ，・・・，４ｃに対してデータの送信タイミングとしてＵｕｃチャネル１０内のタイムスロットを割り当て、そのタイムスロットの割当通知信号をＲチャネル８およびＵｕｐチャネル９などを用いて無線送信する基地局スロット割当装置である。また、２５は上記Ｕｕｃチャネル１０に対する割当処理を実施する上り回線スロット割当手段、２６は上記Ｕｄチャネル１１に対する割当処理を実施する下り回線スロット割当手段である。
【００２７】
次に動作について説明する。
図４は図３に示した無線通信システムにおける下りデータ通信処理を示す下りスロット割当シーケンスである。同図において、（ａ）は左から右へ時間が進むように記載されたフレーム周期、（ｂ）は基地局３の動作、（ｃ）は第一の加入者局の動作、（ｄ）は第二の加入者局の動作、（ｅ）は第三の加入者局の動作である。また、この実施の形態１では６つの連続するフレーム６が１つのマルチフレームとして定義されている。
【００２８】
そして、この実施の形態１の無線通信システムでは、下り回線スロット割当手段２６は、各フレーム６毎にその最後において動作し、次のフレーム６においてデータを送信する下り送信バッファ（例えば１９ａ）を１つ選択し、これに蓄えられたデータを基地局入出力装置２１に出力させるように設定する。なお、その選択の際に複数の下り送信バッファ（例えば１９ａと１９ｂ）にデータが蓄積されている場合には、予め定められた順番（例えばバッファの順番）に従って順次１つの下り送信バッファ（例えば１９ａ）を選択するようにしても、あるいは、データが蓄積された順番に従って順次１つの下り送信バッファ（例えば１９ａ）を選択するようにしてもよい。また、１つのフレーム６のＵｄチャネル１１ではタイムスロットが不足する場合には、複数のフレーム６，・・・，６を当該下り送信バッファ(１９ａ)のために割り当てる必要があるが、この場合にはその下り送信バッファ(１９ａ)が終了してから次の下り送信バッファ(１９ｂ)を選択する。逆に、最初に選択した下り送信バッファ(１９ａ)のデータ量が次のフレーム６のＵｄチャネル１１で送信可能なデータ量よりも少なくその結果２つ以上のタイムスロット５，・・・，５が残る場合には最終的な残余スロットが１つ以下となるまで順次上記順番において次となる下り送信バッファ(１９ｂ)を選択して割り当てる。
【００２９】
そのため、例えば同図に示すように、マルチフレーム０のフレーム０内（以下これを（０−０）フレームとよぶ。他も同様）のタイミングＴ１において第一の加入者局へのデータが下り送信バッファ１９ａに書き込まれると、当該（０−１）フレームに先だって下り回線スロット割当手段２６が動作し、基地局入出力装置２１はそれに従って当該下り送信バッファ（１９ａ）のデータを（０−１）フレームのＵｄチャネル１１を用いて下りバースト１４による無線送信を行う（Ｔ２）。第一の加入者局の加入者局入出力装置２２は、この下りバースト１４の先頭スロット１５に含まれる制御回線や同期シンボルを用いて当該下りバースト１４が自身宛てのものであることを判断し、それに続いて受信した１乃至複数の後続スロット１６，・・・，１６のペイロードからデータを抽出し、これを端末装置（１ａ）へ出力する。
【００３０】
同様に、（０−１）フレームのタイミングＴ３において第二の加入者局へのデータが下り送信バッファ１９ｂに書き込まれると、下り回線スロット割当手段２６が（０−２）フレームのＵｄチャネル１１をそれに割り当て、基地局入出力装置２１は当該Ｕｄチャネル１１において上記下り送信バッファ１９ｂのデータを無線送信し、第二の加入者局の加入者局入出力装置２２はこれを受信して端末装置（１ａ）へ出力する（Ｔ４）。また、（０−３）フレームのタイミングＴ５において第三の加入者局へのデータが下り送信バッファ１９ｃに書き込まれると、下り回線スロット割当手段２６が（０−４）フレームのＵｄチャネル１１をそれに割り当て、基地局入出力装置２１は当該Ｕｄチャネル１１において上記下り送信バッファ１９ｃのデータを無線送信し、第三の加入者局の加入者局入出力装置２２はこれを受信して端末装置（１ａ）へ出力する（Ｔ６）。
【００３１】
また、（０−５）フレームのタイミングＴ７〜Ｔ９において第一の加入者局、第二の加入者局および第三の加入者局へのデータがそれぞれの下り送信バッファ１９ａ，１９ｂ，１９ｃに書き込まれると、当該フレームにおいて下り回線スロット割当手段２６は最初に書込まれた第一の加入者局へのデータを次の（１−０）フレームのＵｄチャネル１１に割り当て、基地局入出力装置２１は当該Ｕｄチャネル１１において上記下り送信バッファ１９ａのデータを無線送信する（Ｔ１０）。そして、この（１−０）フレームにおいて送信が完了しない場合には下り回線スロット割当手段２６は更に次の（１−１）フレームを当該下り送信バッファ１９ａのデータ送信に割り当てる（Ｔ１１）。この送信で当該下り送信バッファ１９ａのデータ送信が完了すると、下り回線スロット割当手段２６は、次の（１−２）フレームを次にデータ書込みがなされた上記下り送信バッファ１９ｂに割り当て、このデータ送信が完了するまで（（１−３）フレームまで）当該データの割当を続ける（Ｔ１２，Ｔ１３）。同様の処理で下り回線スロット割当手段２６は、（１−４）フレームおよび（１−５）フレームを三番目に書込みがなされたデータ送信に割り当てる（Ｔ１４，Ｔ１５）。
【００３２】
図５は図３に示した無線通信システムにおける上りデータ通信処理を示す上りスロット割当シーケンスである。そして、この実施の形態１の無線通信システムでは、上り回線スロット割当手段２５は、６つのフレーム６（１つのマルチフレーム）毎にその４番目のフレーム（例えば（１−３）フレーム）において動作し、それまでに入力された各加入者局（４ａ）からの割当要求信号に基づいて次のマルチフレーム（次の６つのフレーム）のＵｕｃチャネル１０，・・・，１０におけるスロット割当を行い、これを各マルチフレームの５番目のフレーム（例えば（１−４）フレーム）のＵｄチャネル１１においてそれぞれの加入者局入出力装置２２へ無線送信する。
【００３３】
なお、上り回線スロット割当手段２５は、その動作の際に複数の割当要求信号が入力されていた場合には、それぞれの蓄積データ量に応じたタイムスロット割当を行う。具体的には、複数の割当要求信号においてトータルに要求される上りデータ量を演算し、これを次の６つのフレーム６におけるＵｕｃチャネル１０のタイムスロット数での送信可能データ量で除算し、この比率に基づいて各フレーム毎にタイムスロットの割当を行う。このとき、実際の割当においては、予め定められた順番あるいは割当要求信号の受信した順番に従って、上記比率に基づいて２以上の整数個のタイムスロットを各加入者局に１つずつ順番に割り当てることになるので、上記比率が整数値でないような場合においては後から割り当てる加入者局のタイムスロットが確保できないような場合がある。このような際には次のマルチフレームにおいては割り当てられなかった加入者局を優先的に割り当てるように上記順番の先頭にもってくるように処理を行う。
【００３４】
そのため、例えば同図に示すように、（０−０）フレームのタイミングＴ１６〜Ｔ１８において各加入者局（４ａ）の上り送信バッファ（例えば２０ａ）にデータ書込みがなされ、（０−１）フレームのタイミングＴ１９〜Ｔ２１において各加入者局スロット割当装置（例えば２３ａ）からＲチャネル８およびＵｕｐチャネル９（ランダムアクセス回線）などを用いて割当要求信号が無線送信され、基地局スロット割当装置２４はこれを受け付ける。その後、上り回線スロット割当手段２５は（０−３）フレームにおいて上記割当処理を実行し、これに基づいて（０−３）フレームのタイミングＴ２２〜Ｔ２４において上記各加入者局スロット割当装置（例えば２３ａ）へＵｄチャネル１１などを用いて無線送信する。
【００３５】
そして、（１−０）フレーム（次のマルチフレーム）になると各加入者局入出力装置２２は上記割当に従ってＵｕｃチャネル１０内の所定のタイムスロットにおいてそれぞれの上り送信バッファ２０ａ，２０ｂ，２０ｃに蓄積されていたデータを無線送信し、基地局入出力装置２１はこれを受信してネットワーク２側に出力する（Ｔ２５〜Ｔ２７）。同様の処理が（１−１）フレームから（１−５）フレームにおいて繰り返される（Ｔ２８〜Ｔ４２）。
【００３６】
なお、加入者局スロット割当装置２３ａ，２３ｂ，２３ｃは、それぞれの上り送信バッファ２０ａ，２０ｂ，２０ｃにデータが残っている間は各フレーム６毎にそのデータ量情報を含む割当要求信号を出力する。そのため、上り回線スロット割当手段２５は、各フレーム６毎に同一の加入者局スロット割当装置２３ａ，２３ｂ，２３ｃから割当要求信号を受信することになる。他方で、この上り回線スロット割当手段２５は６フレーム毎に割当処理を実行する。このことは、上り送信バッファ（２０ａ）にデータが残っている加入者局（４ａ）は継続的に上り回線を確保することになり、割当要求信号などの上り制御信号を確実に送信できることになる。
【００３７】
図６はこの発明の実施の形態１によるＵｕｃチャネル１０およびＵｄチャネル１１のタイムスロット割当の一例を示す説明図である。同図では、Ｕｕｃチャネル１０およびＵｄチャネル１１はそれぞれ１４個ずつのタイムスロットからなる例である。図において、２７はマルチフレームの最初のフレーム６でのＵｕｃチャネル１０のタイムスロット割当例、２８はマルチフレームの二番目のフレーム６でのＵｕｃチャネル１０のタイムスロット割当例、２９はマルチフレームの三番目のフレーム６でのＵｕｃチャネル１０のタイムスロット割当例、３０はマルチフレームの四番目のフレーム６でのＵｕｃチャネル１０のタイムスロット割当例、３１はマルチフレームの五番目のフレーム６でのＵｕｃチャネル１０のタイムスロット割当例、３２はマルチフレームの六番目のフレーム６でのＵｕｃチャネル１０のタイムスロット割当例、３３はマルチフレームの最初のフレーム６でのＵｄチャネル１１のタイムスロット割当例、３４はマルチフレームの二番目のフレーム６でのＵｄチャネル１１のタイムスロット割当例、３５はマルチフレームの三番目のフレーム６でのＵｄチャネル１１のタイムスロット割当例、３６はマルチフレームの四番目のフレーム６でのＵｄチャネル１１のタイムスロット割当例、３７はマルチフレームの五番目のフレーム６でのＵｄチャネル１１のタイムスロット割当例、３８はマルチフレームの六番目のフレーム６でのＵｄチャネル１１のタイムスロット割当例である。
【００３８】
そして、同図の符号２７から３２に示すように、この実施の形態１によるタイムスロットの割当においては、６つのフレーム６において割当要求信号を受け付けた３つの加入者局４ａ，・・・，４ｃに対して同様の上りタイムスロットが割り当てられ、符号３３から３８に示すように、６つのフレーム６において３つの加入者局４ａ，・・・，４ｃに対して順番に下りタイムスロットが割り当てられている。また、下りタイムスロットでは、１つのＵｄチャネル１１にデータが収まりきらない場合には複数のＵｄチャネル１１に続けて割り当てられ、２つ以上の空きタイムスロット５が生じた場合には１つのＵｄチャネル１１に他の下り送信バッファ１９ａ，１９ｂ，１９ｃのデータが続けて割り当てられている。
【００３９】
以上のように、この実施の形態１では、上り回線スロット割当手段２５は、Ｕｕｃチャネル１０をそれぞれの上り送信バッファ２０ａ，２０ｂ，２０ｃに滞留しているデータ量の比に基づいて割り当てるので、ＵＢＲ（Ｕｎｓｐｅｃｉｆｉｅｄ  Ｂｉｔ  Ｒａｔｅ：ＡＴＭ（Ａｓｙｎｃｈｒｏｎｏｕｓ  Ｔｒａｎｓｆｅｒ  Ｍｏｄｅ）の１サービスカテゴリ）などの伝送帯域非保証型の割当要求が複数あった場合であっても、それぞれについてタイムスロット５を割り当てて、それぞれの伝送帯域をそれぞれのデータ量に応じて確保することができる効果がある。
【００４０】
また、下り回線スロット割当手段２６は、フレーム６毎に下り送信バッファ１９ａ，１９ｂ，１９ｃに滞留しているデータをＵｄチャネル１１に割り当てて送信させるので、スロットを無駄に割り当てることが無く、送信すべきデータが発生した場合に即座に送信することができる。特に、このように下り回線スロット割当手段２６においてはフレーム６毎に各加入者局（４ａ）に対する下り送信データの割当をしつつも、上り回線スロット割当手段２５は当該加入者局（４ａ）に対するタイムスロット５（帯域）をマルチフレーム毎に確保しているので、バースト衝突や不達の恐れが高いＲチャネル８やＵｕｐチャネル９（ランダムアクセスチャネル）を使用することなく、上記連続的に確保されたＵｕｃチャネル１０のタイムスロットを利用することができ、ＴＣＰ／ＩＰの応答パケットなどが発生した場合にはそれをただちに送信することが可能であるので、当該応答パケットの遅延などに起因する伝送レートの低下や、ラウンドトリップ時間を短い時間に安定させることができ、ＴＣＰ／ＩＰの再送実行までのタイムアウト時間をその時々の通信状態において安定した正確なものとすることができる効果がある。
【００４１】
更に、下り回線スロット割当手段２６はフレーム６毎に割当処理を実施しているが、単に下り送信データの発生に基づいて順番に、且つ、前のデータが終了したら次のデータを送信するように割り当てているので、例えば従来のようにその割当の際に発生している全ての下り送信データ量を調査し、更に総合的に勘案して割当を行った場合のように、割当処理時間を確保することができないという問題を生ずることもない。
【００４２】
実施の形態２．
図７はこの発明の実施の形態２による無線通信システムにおいて、基地局の通信範囲内に３台の加入者局が存在する場合の構成を示すブロック図である。図において、３９は上り最大送信データ量制限値や下り最大送信データ量制限値を含むユーザパラメータ（加入者情報）を各加入者局毎に保持する加入者情報保持手段、４０は各加入者毎に当該上り最大送信データ量制限値を考慮してＵｕｃチャネル１０に対する割当処理を実施する上り回線スロット割当手段、４１は各加入者毎に当該下り最大送信データ量制限値を考慮してＵｄチャネル１１に対する割当処理を実施する下り回線スロット割当手段である。これ以外の構成は実施の形態１と同様であり説明を省略する。
【００４３】
次に動作について説明する。
図８はこの発明の実施の形態２の下り回線スロット割当手段４１による割当処理を示すフローチャートである。当該割当処理は各フレーム６において実施される。図において、ＳＴ１は基地局３において複数の加入者局４ａ，・・・，４ｃを識別するために用いられる識別番号にその初期値（開始加入者局識別番号）を代入する識別番号初期設定ステップ、ＳＴ２は当該初期値となった加入者局（４ａ）への下り送信バッファ１９ａ，１９ｂ，１９ｃに蓄えられている全てのデータを送信できる最小限のタイムスロット数を割当期待数として求める初期割当期待数演算ステップ、ＳＴ３はこの割当期待数が０よりも大きいか否かに基づいてデータ送信が必要か否かを判断するデータ送信判断ステップ、ＳＴ４は上り割当情報などの制御信号の送信が必要か否かを判断する制御信号送信判断ステップ、ＳＴ５は識別番号を次の加入者局（４ｂ）のものに変更する識別番号更新ステップ、ＳＴ６は登録数に基づいて基地局３に登録されている全ての加入者局４ａ，・・・，４ｃについて処理を繰り返したか否かを判断するループ判断ステップである。
【００４４】
ＳＴ７は初期割当期待数演算ステップＳＴ２における割当期待数がその加入者局（４ａ）の下り最大送信データ量制限値よりも大きいか否かを判断する最大値判断ステップ、ＳＴ８は割当期待数がその下り最大送信データ量制限値よりも大きい場合に割当期待数を当該下り最大送信データ量制限値に変更する割当期待数変更ステップ、ＳＴ９は更新された識別番号が開始加入者局識別番号であるか否かを判断する識別番号判断ステップ、ＳＴ１０は更新された識別番号が開始加入者局識別番号である場合に前回の割当で不足していた割当数を割り当てる不足数割当ステップ、ＳＴ１１は割当期待数が空きスロット数よりも大きいか否かを判断する空きスロット数決定ステップ、ＳＴ１２は割当期待数を当該空きスロット数に変更するとともに割当期待数から空きスロット数を減算して上記不足割当数を演算する最終割当スロット数演算ステップ、ＳＴ１３はこの割当期待数だけのタイムスロット５を当該識別番号の加入者局（４ａ）への下りデータ送信のために割り当てる割当ステップである。また、ＳＴ１４は制御信号を送信するために割当期待数を１に設定する制御信号送信時割当期待数設定ステップであり、この場合にも割当ステップＳＴ１３において割当期待数だけのタイムスロット５を当該識別番号の加入者局（４ａ）への下りデータ送信のために割り当てられる。
【００４５】
ＳＴ１５は上記割当の結果まだ２以上のタイムスロット５，・・・，５の空きがあるか否かを判断する空きスロット数判断ステップ、ＳＴ１６はタイムスロットの空きが１つ以下となった場合に最後に割当を行った識別番号の次の番号を開始加入者局識別番号として登録する開始識別番号更新ステップである。なお、空きスロット数判断ステップＳＴ１５において２以上のタイムスロット５，・・・，５に空きがある場合には識別番号更新ステップＳＴ５へ進む。
【００４６】
以上の処理により、各フレーム６のＵｄチャネル１１には、その空きスロット数が１以下となるまで、複数の下り送信バッファ１９ａ，１９ｂ，１９ｃのデータがそれぞれの最大送信データ量制限値を最大とするスロット数毎に順番に割り当てられることになる。従って、いずれかの下り送信バッファ１９ａ，１９ｂ，１９ｃに大量の下り送信データが蓄積されたとしても、当該下り送信バッファ１９ａ，１９ｂ，１９ｃのデータによりＵｄチャネル１１が占有されてしまうことがなく、他の下り送信バッファ１９ａ，１９ｂ，１９ｃの例えば制御信号なども遅滞なく即座にそれぞれの加入者局（４ａ）に無線送信することができる。なお、以上の割当処理は単に順番にそれぞれの下り送信バッファ１９ａ，１９ｂ，１９ｃへの割当をおこなっているので、全ての下り送信データのデータ量などを勘案した場合のように割当処理に時間が通常は不足してしまうことはない。また、空きスロットが完全に埋まる前に、つまり当該割当処理を繰り返している間に所定の割当処理時間が経過したら上記処理を中断し、それまでに割り当てられているものについて次のフレーム６において実行するようにもなっている。
【００４７】
図９はこの発明の実施の形態２の上り回線スロット割当手段４０による割当処理を示すフローチャートである。当該割当処理は各マルチフレーム（６フレーム毎に）内の特定の順番（例えば４番目）の１つのフレームにおいて実施される。図において、ＳＴ１７は上り回線であるＵｕｃチャネルスロット数を当該判断時までに受け付けた各加入者局（４ａ）の上り割当要求スロット数（＝割当要求のデータ量に応じたスロット数および上り最大送信データ量制限値に応じたスロット数のうちのいずれか小さい方のスロット数）の総和で割って比例係数を演算する比例係数演算ステップ、ＳＴ１８は基地局３において複数の加入者局４ａ，・・・，４ｃを識別するために用いられる識別番号にその初期値（開始加入者局識別番号）を代入する識別番号初期設定ステップ、ＳＴ１９は当該識別番号の加入者局（４ａ）からの割当要求の有無を判断する割当要求有無判断ステップ、ＳＴ２０は当該識別番号の加入者局（４ａ）からの制御信号の有無を判断する制御信号有無判断ステップ、ＳＴ２１は識別番号を次の加入者局（４ｂ）のものに変更する識別番号更新ステップ、ＳＴ２２は登録数に基づいて基地局３に登録されている全ての加入者局４ａ，・・・，４ｃについて処理を繰り返したか否かを判断するループ判断ステップである。
【００４８】
ＳＴ２３は識別番号に対応する加入者局（４ａ）への割当期待数を当該加入者局（４ａ）の上りスロット数に比例係数を乗算して求める初期割当期待数演算ステップ、ＳＴ２４は初期割当期待数演算ステップＳＴ２３における割当期待数が２よりも小さいか否かを判断する最小割当スロット数判断ステップ、ＳＴ２５は割当期待数が２よりも小さい場合にそれを２に変更する最小割当期待数変更ステップ、ＳＴ２６は割当期待数がそれぞれの上り最大送信データ量制限値に応じたスロット数よりも大きいか否かを判断する最大割当スロット数判断ステップ、ＳＴ２７は割当期待数が最大割当スロット数よりも大きい場合にそれを最大割当スロット数に変更する最大割当期待数変更ステップ、ＳＴ２８はこの割当期待数だけのタイムスロットを当該識別番号の加入者局（４ａ）への上りデータ送信のために割り当てる割当ステップである。また、ＳＴ２９は制御信号を送信するために割当期待数を１に設定する制御信号送信時割当期待数設定ステップであり、この場合にも割当ステップＳＴ２８において割当期待数だけのタイムスロット５を当該識別番号の加入者局（４ａ）への上りデータ送信のために割り当てられる。
【００４９】
ＳＴ３０は上記割当の結果まだ２以上のタイムスロット５，・・・，５の空きがあるか否かを判断する空きスロット数判断ステップ、ＳＴ３１はタイムスロット５の空きが１つ以下となった場合に最後に割当を行った識別番号の次の番号を開始加入者局識別番号として登録する開始識別番号更新ステップである。なお、空きスロット数判断ステップＳＴ３０において２以上のタイムスロット５，・・・，５に空きがある場合には識別番号更新ステップＳＴ２１へ進む。
【００５０】
以上の処理により、各フレーム６のＵｕｃチャネル１０には、その空きスロット数が１以下となるまで、複数の上り送信バッファ２０ａ，２０ｂ，２０ｃのデータがそれぞれの最大送信データ量制限値を最大とするスロット数毎に順番に割り当てられることになる。従って、いずれかの上り送信バッファ２０ａ，２０ｂ，２０ｃに大量の上り送信データが蓄積されたとしても、当該上り送信バッファ２０ａ，２０ｂ，２０ｃのデータによりＵｕｃチャネル１０の大半が占有されてしまうことがなく、他の上り送信バッファ２０ａ，２０ｂ，２０ｃの例えば制御信号なども遅滞なく即座に無線送信することができる。なお、以上の割当処理を繰り返している間に所定の割当処理時間がきたら上記処理を中断し、それまでに割り当てられているものについて次のフレーム６において実行する。
【００５１】
また、このようなタイムスロット５の割当であれば、上り最大送信データ量制限値や下り最大送信データ量制限値を各加入者局（４ａ）毎にその契約に応じて異なる値に設定することで、タイムスロット５の利用率をその状況に応じて最大限に確保しつつも、加入者へのサービスの多様性や品質を確保することができる。
【００５２】
【発明の効果】
以上のように、この発明によれば、複数のタイムスロットからなるフレームを基本通信単位として基地局と複数の加入者局との間で同一の周波数を用いてデータ送受信を行う通信システムにおいて、各加入者局において基地局への上り送信データを蓄積する上り送信バッファと、各加入者局においてそれぞれの上り送信バッファに上り送信データが蓄積されたら割当要求信号を出力する加入者局スロット割当装置と、基地局において複数のフレームの送信周期毎に動作し、１乃至複数の割当要求信号に基づいて上記複数のフレームの各フレームにおいてそれぞれに対してタイムスロットが割り当てられるように上記タイムスロットを割り当てる上り回線スロット割当手段と、各加入者局において上記複数のフレーム毎のタイムスロット割当に基づいて複数のフレームにおいて連続してそれぞれの上り送信バッファに蓄積された上り送信データを上記回線に出力する加入者局入出力装置とを備えるので、上り回線スロット割当手段がそれぞれの上り送信バッファに滞留しているデータ量の比に基づいてタイムスロットを割り当てることができる。従って、ＵＢＲなどの伝送帯域非保証型の割当要求が複数あった場合であっても、それぞれについてタイムスロットを割り当てて、それぞれの伝送帯域をそれぞれのデータ量に応じて確保することができる効果がある。
【００５３】
また、基地局において各加入者局毎への下り送信データを蓄積する複数の下り送信バッファと、基地局において上記フレームの送信周期毎に動作し、複数の下り送信バッファにおいて下り送信データが蓄積されたら順番に上記タイムスロットを割り当てる下り回線スロット割当手段と、基地局において上記フレーム毎のタイムスロット割当に基づいて上記複数の下り送信バッファに蓄積された下り送信データを上記回線に出力する基地局入出力装置とを備えるので、下り回線スロット割当手段がフレーム毎に下り送信バッファに滞留しているデータを割り当て、送信させることができる。従って、スロットを無駄に割り当てることが無く、送信すべきデータが発生した場合に即座に送信することができる。
【００５４】
特に、このように下り回線スロット割当手段においてはフレーム毎に各加入者局に対する下り送信データの割当をしつつも、上り回線スロット割当手段は当該加入者局に対するタイムスロット（帯域）を複数のフレームに渡って確保している。従って、ランダムアクセスチャネルなどを利用した場合とは異なり、ＴＣＰ／ＩＰの応答パケットなどが発生した場合にはそれをただちに送信することが可能であるので、当該応答パケットの遅延などに起因する伝送レートの低下や、ラウンドトリップ時間を短い時間に安定させることができ、ＴＣＰ／ＩＰの再送実行までのタイムアウト時間をその時々の通信状態において安定した正確なものとすることができる。
【００５５】
更に、下り回線スロット割当手段は、単に下り送信データの発生に基づいて順番に、且つ、前のデータが終了したら次のデータを送信するように割り当てているので、フレーム毎に割当処理を実施しつつも割当処理時間を確保することができる効果がある。
【００５６】
なお、このような上り回線スロット割当手段としては、例えばそれぞれの上り送信バッファに蓄えられている上り送信データ量の比に基づいて各フレームにおいてタイムスロットを割り当てればよい。このような割当であれば、それぞれの伝送帯域をそれぞれのデータ量に応じて確保することができるので、ＵＢＲなどの伝送帯域非保証型の割当要求が複数あったとしてもそれぞれの上り送信データのスループットを最大とすることができる効果がある。
【００５７】
この発明によれば、上り回線スロット割当手段が、それぞれの上り送信バッファにおいてそれぞれの上限値を超える上り送信データ量がある場合にはその上限値をリミットとしてタイムスロットを割り当てるので、いずれかの上り送信バッファにおいて大量のデータが蓄積された状態となったとしても、当該上り送信バッファのデータによりタイムスロットが占有されてしまうことがなく、他の上り送信バッファのデータなども遅滞なく即座に基地局に無線送信することができる。
【００５８】
この発明によれば、上り回線スロット割当手段が、最低でも２つ以上のタイムスロットが割り当たるように上り送信データ量の比に基づいて各加入者局毎に順番にタイムスロットを割り当てるとともに、前回の割当処理において割り当てることができなかった加入者局から順番にタイムスロットを割り当てるので、その加入者局に対するタイムスロットの割当数が不用意に少なくなってしまうことや、一部の加入者局のみに優先的にタイムスロットが割り当てられてしまうことがない効果がある。
【００５９】
この発明によれば、下り回線スロット割当手段が、それぞれの上り送信バッファに対して、それぞれの上限値の範囲内のタイムスロット数毎に順番にタイムスロットを割り当てるので、いずれかの下り送信バッファにおいて大量のデータが蓄積された状態となったとしても、当該下り送信バッファのデータによりタイムスロットが占有されてしまうことがなく、他の下り送信バッファの例えば制御信号なども遅滞なく即座に基地局に無線送信することができる。
【００６０】
この発明によれば、下り回線スロット割当手段が、前回の割当処理において上限値の範囲内での所望のタイムスロット数を割り当てることができなかった加入者局から順番にタイムスロットを割り当てるので、その加入者局に対するタイムスロットの割当数が不用意に少なくなってしまうことや、一部の加入者局のみに優先的にタイムスロットが割り当てられてしまうことがない効果がある。
【００６１】
この発明によれば、複数のタイムスロットからなるフレームを基本単位として基地局から複数の加入者局への下り送信データのタイムスロットおよび複数の加入者局から基地局への上り送信データのタイムスロットを割り当てるタイムスロット割当方法において、複数の下り送信データに対しては、各フレーム毎に順番にタイムスロットを割り当てるととともに、複数の上り送信データに対しては、複数のフレーム毎にそれぞれのフレームにおいてそれぞれに対してタイムスロットが割り当てられるように上記タイムスロットを割り当てるので、ＵＢＲなどの伝送帯域非保証型の割当要求が複数あった場合であってもそれぞれについてタイムスロットを割り当てることができ、しかも、ＴＣＰ／ＩＰの応答パケットなどをただちに送信して当該タイムスロットを利用して確実に送信することができる効果がある。
【図面の簡単な説明】
【図１】  この発明の実施の形態１による無線通信システムの構成を示すシステム構成図である。
【図２】  この発明の実施の形態１による無線通信システムにおけるフレーム構成を示す説明図である。
【図３】  この発明の実施の形態１による無線通信システムにおいて、基地局の通信範囲内に３台の加入者局が存在する場合の構成を示すブロック図である。
【図４】  図３に示した無線通信システムにおける下りデータ通信処理を示す下りスロット割当シーケンスである。
【図５】  図３に示した無線通信システムにおける上りデータ通信処理を示す上りスロット割当シーケンスである。
【図６】  この発明の実施の形態１によるＵｕｃチャネルおよびＵｄチャネルのタイムスロット割当の一例を示す説明図である。
【図７】  この発明の実施の形態２による無線通信システムにおいて、基地局の通信範囲内に３台の加入者局が存在する場合の構成を示すブロック図である。
【図８】  この発明の実施の形態２の下り回線スロット割当手段による割当処理を示すフローチャートである。
【図９】  この発明の実施の形態２の上り回線スロット割当手段による割当処理を示すフローチャートである。
【図１０】  上り回線と下り回線が時分割デュプレクス（ＴＤＤ：ＴｉｍｅＤｉｖｉｓｉｏｎ  Ｄｕｐｌｅｘ）された同一の無線回線を用いて基地局と複数の加入者局との間でデータ送受信を行う従来の通信システムの構成を示すブロック図である。
【図１１】  従来の通信システムにおける上りデータ通信処理を示す上りスロット割当シーケンスである。
【図１２】  従来の上り回線におけるタイムスロット割当処理を示すフローチャートである。
【符号の説明】
１ａ，１ｂ，１ｃ  端末装置、２  ネットワーク、３  基地局、４  加入者局、５  タイムスロット、６  フレーム、７  Ｂチャネル、８  Ｒチャネル、９  Ｕｕｐチャネル、１０  Ｕｕｃチャネル、１１  Ｕｄチャネル、１２ランダムアクセス方式のチャネル、１３  上りバースト、１４  下りバースト、１５  先頭スロット、１６  後続スロット、１７  基地局、１８  ３台分の加入者局、１９ａ，１９ｂ，１９ｃ  下り送信バッファ、２０ａ，２０ｂ，２０ｃ  上り送信バッファ、２１  基地局入出力装置、２２  加入者局入出力装置、２３ａ，２３ｂ，２３ｃ  加入者局スロット割当装置、２４  加入者局スロット割当装置、２５上り回線スロット割当手段、２６  下り回線スロット割当手段、３９  加入者情報保持手段、４０  上り回線スロット割当手段、４１  下り回線スロット割当手段。
【図１】
0004346778.tif 000002
【図２】
0004346778.tif 000003
【図３】
0004346778.tif 000004
【図４】
0004346778.tif 000005
【図５】
0004346778.tif 000006
【図６】
0004346778.tif 000007
【図７】
0004346778.tif 000008
【図８】
0004346778.tif 000009
【図９】
0004346778.tif 000010
【図１０】
0004346778.tif 000011
【図１１】
0004346778.tif 000012
【図１２】
0004346778.tif 000013